(57)【要約】【課題】機能の拡張に対応していない照明器具にも、ユーザが機能を選択的に付加することができる照明用光源等を提供することを目的とする。【解決手段】機能付加装置２００が接続される照明用光源１００であって、発光部１４２と、機能付加装置２００から制御信号を受信するために機能付加装置２００が着脱自在に接続される第一接続部１９０と、第一接続部１９０に接続された機能付加装置２００から受信した制御信号に応じて発光部１４２の発光を制御する制御部１９２とを備える。【選択図】図３
2014220162.tif 000002
【特許請求の範囲】
【請求項１】
照明用光源であって、
発光部と、
前記照明用光源に機能を付加する機能付加装置から制御信号を受信するために前記機能付加装置が着脱自在に接続される第一接続部と、
前記第一接続部に接続された前記機能付加装置から受信した前記制御信号に応じて前記発光部の発光を制御する制御部とを備える
照明用光源。
【請求項２】
前記制御部は、電力を受電し、受電した電力によって当該制御部を動作させる電源部を有し、
前記電源部は、受電する電力量を前記制御信号に応じて制御することにより前記発光部の発光を制御する
請求項１に記載の照明用光源。
【請求項３】
前記制御部は、前記発光部に電力を供給する電力供給部を有し、前記電力供給部は、前記制御信号に応じて前記発光部に供給する電力の量を制御することにより前記発光部の発光を制御する
請求項１に記載の照明用光源。
【請求項４】
さらに、交流電力を直流電力に変換して前記制御部に出力する電源変換部を備え、
前記第一接続部は、前記電源変換部が出力する前記直流電力を前記機能付加装置に供給するための第一の端子を有する
請求項１〜３のいずれか１項に記載の照明用光源。
【請求項５】
前記第一の端子を通じて前記機能付加装置に供給された電力は、前記機能付加装置が有する蓄電部に蓄電され、
前記第一接続部は、前記制御部を動作させるために、前記蓄電部から電力の供給を受けるための第二の端子を有する
請求項４に記載の照明用光源。
【請求項６】
前記制御部は、前記制御信号に応じて前記発光部の調光、調色、配光、点灯、及び消灯の少なくとも１つを制御する
請求項１〜５のいずれか１項に記載の照明用光源。
【請求項７】
さらに、
前記発光部、前記制御部、及び前記第一接続部が設けられる筐体と、
前記筐体に回転可能に取り付けられる、前記発光部からの光を取り出すための透光性のカバーとを備え、
前記第一接続部は、前記筐体の前記カバーと対向する面に設けられ、前記カバーが前記筐体に対して回転されることによって、前記カバーに設けられた切り欠き部を通じて前記機能付加装置が接続可能な状態となる
請求項１〜６のいずれか１項に記載の照明用光源。
【請求項８】
さらに、
前記制御部及び前記発光部を収納し、表面に前記第一接続部が取り付けられる本体部と、
前記制御部と前記第一接続部とを電気的に接続し、前記第一接続部が取り付けられる位置を変更するために前記本体部から引き出されるケーブルと、
前記ケーブルを巻き取るリールとを備える
請求項１〜６のいずれか１項に記載の照明用光源。
【請求項９】
さらに、
前記制御部及び前記発光部を収納し、表面に前記第一接続部が保持される本体部と、
前記第一接続部が取り付けられ、前記第一接続部を前記本体部の表面から引き離すために前記本体部から引き出される伸縮部材とを備える
請求項１〜６のいずれか１項に記載の照明用光源。
【請求項１０】
さらに、前記発光部、及び前記制御部を収納する本体部を備え、
前記本体部は、前記発光部からの光を取り出す発光面と、前記発光面の周囲に設けられた側面と、前記発光面と反対側の面である設置面とを有し、
前記第一接続部は、前記本体部の前記発光面の中央部分に設けられる
請求項１〜６のいずれか１項に記載の照明用光源。
【請求項１１】
前記制御部は、複数の素子から構成され、前記複数の素子と前記第一接続部とは、開口を有する回路基板上に設けられ、
前記回路基板の主面に垂直な方向から見た場合に、
前記回路基板を前記開口で直交する２つの直線で４つの領域に分割したときの１つの領域である第一領域には、前記複数の素子のうち、前記機能付加装置が接続されたときのみ必要な素子である第一素子と、前記第一接続部とが設けられ、
前記４つの領域のうちの前記第一領域の対角に位置する領域には、前記複数の素子のうち、前記第一素子以外の素子が設けられる
請求項１〜１０のいずれか１項に記載の照明用光源。
【請求項１２】
照明用光源の発光を制御するための制御信号を前記照明用光源に送信する機能付加部と、
前記制御信号を前記照明用光源に送信するために、前記照明用光源に着脱自在に接続される第二接続部とを備える
機能付加装置。
【請求項１３】
前記機能付加部は、照度、赤外線、音、振動、ユーザのモーション、温度、及び時間のうちの少なくとも１つを検出し、検出結果に応じて前記制御信号を送信する
請求項１２に記載の機能付加装置。
【請求項１４】
さらに、
前記機能付加部が設けられる筐体と、
前記機能付加部と前記第二の接続部とを電気的に接続し、前記第二接続部を前記筐体から引き離すために前記筐体から引き出されるケーブルと、
前記ケーブルを巻き取るリールとを備える
請求項１２又は１３に記載の機能付加装置。
【請求項１５】
さらに、
前記機能付加部が設けられる筐体と、
前記第二の接続部が取り付けられ、前記第二接続部を前記筐体から引き離すために前記筐体から引き出される伸縮部材とを備える
請求項１２又は１３に記載の機能付加装置。
【請求項１６】
前記機能付加装置は、さらに、前記照明用光源から供給される電力を蓄電する蓄電部を備え、
前記第二接続部は、前記蓄電部に蓄電された電力を前記照明用光源に供給するための端子を有する
請求項１２〜１５のいずれか１項に記載の機能付加装置。
【請求項１７】
照明用光源であって、
発光部と、
機能に応じて制御信号を出力する機能付加部、及び、前記制御信号を前記照明用光源に送信するための第二接続部を有する機能付加装置と、
前記機能付加装置から前記制御信号を受信するために前記第二接続部が着脱自在に接続される第一接続部と、
前記第一接続部を通じて受信した前記制御信号に応じて前記発光部の発光を制御する制御部とを備える
照明用光源。
【発明の詳細な説明】
【技術分野】
【０００１】
本発明は、照明用光源に関し、特に、機能の拡張が可能な照明用光源に関する。
【背景技術】
【０００２】
発光ダイオード（ＬＥＤ：Ｌｉｇｈｔ  Ｅｍｉｔｔｉｎｇ  Ｄｉｏｄｅ）等の固体発光素子は、小型、高効率及び長寿命であることから、様々な製品の光源として期待されている。その中でも、近年、ＬＥＤを用いた照明用光源の研究開発が進められている。上記のような照明用光源は、照明器具に取り付けられ、照明装置として動作する。
【０００３】
一方、照明器具に機能拡張端子を設け、機能拡張端子に機能プラグを取り付けることで照明器具に機能を付加する技術が知られている（例えば、特許文献１参照）。
【先行技術文献】
【特許文献】
【０００４】
【特許文献１】特開２００２−１１０３７６号公報
【発明の概要】
【発明が解決しようとする課題】
【０００５】
上記特許文献１に記載の技術では、照明器具に機能を付加する構成であるため、機能拡張端子が設けられていない照明器具に機能を付加することはできない。
【０００６】
本発明は、機能の拡張に対応していない照明器具にも、ユーザが機能を選択的に付加することができる照明用光源等を提供することを目的とする。
【課題を解決するための手段】
【０００７】
上記目的を達成するために、本発明の一態様に係る照明用光源は、照明用光源であって、発光部と、前記照明用光源に機能を付加する機能付加装置から制御信号を受信するために前記機能付加装置が着脱自在に接続される第一接続部と、前記第一接続部に接続された前記機能付加装置から受信した前記制御信号に応じて前記発光部の発光を制御する制御部とを備える。
【０００８】
また、前記制御部は、電力を受電し、受電した電力によって当該制御部を動作させる電源部を有し、前記電源部は、受電する電力量を前記制御信号に応じて制御することにより前記発光部の発光を制御してもよい。
【０００９】
また、前記制御部は、前記発光部に電力を供給する電力供給部を有し、前記電力供給部は、前記制御信号に応じて前記発光部に供給する電力の量を制御することにより前記発光部の発光を制御してもよい。
【００１０】
また、さらに、交流電力を直流電力に変換して前記制御部に出力する電源変換部を備え、前記第一接続部は、前記電源変換部が出力する前記直流電力を前記機能付加装置に供給するための第一の端子を有してもよい。
【００１１】
また、前記第一の端子を通じて前記機能付加装置に供給された電力は、前記機能付加装置が有する蓄電部に蓄電され、前記第一接続部は、前記制御部を動作させるために、前記蓄電部から電力の供給を受けるための第二の端子を有してもよい。
【００１２】
また、前記制御部は、前記制御信号に応じて前記発光部の調光、調色、配光、点灯、及び消灯の少なくとも１つを制御してもよい。
【００１３】
また、さらに、前記発光部、前記制御部、及び前記第一接続部が設けられる筐体と、前記筐体に回転可能に取り付けられる、前記発光部からの光を取り出すための透光性のカバーとを備え、前記第一接続部は、前記筐体の前記カバーと対向する面に設けられ、前記カバーが前記筐体に対して回転されることによって、前記カバーに設けられた切り欠き部を通じて前記機能付加装置が接続可能な状態となってもよい。
【００１４】
また、さらに、前記制御部及び前記発光部を収納し、表面に前記第一接続部が取り付けられる本体部と、前記制御部と前記第一接続部とを電気的に接続し、前記第一接続部が取り付けられる位置を変更するために前記本体部から引き出されるケーブルと、前記ケーブルを巻き取るリールとを備えてもよい。
【００１５】
また、さらに、前記制御部及び前記発光部を収納し、表面に前記第一接続部が保持される本体部と、前記第一接続部が取り付けられ、前記第一接続部を前記本体部の表面から引き離すために前記本体部から引き出される伸縮部材とを備えてもよい。
【００１６】
また、さらに、前記発光部、及び前記制御部を収納する本体部を備え、前記本体部は、前記発光部からの光を取り出す発光面と、前記発光面の周囲に設けられた側面と、前記発光面と反対側の面である設置面とを有し、前記第一接続部は、前記本体部の前記発光面の中央部分に設けられてもよい。
【００１７】
また、前記制御部は、複数の素子から構成され、前記複数の素子と前記第一接続部とは、開口を有する回路基板上に設けられ、前記回路基板の主面に垂直な方向から見た場合に、前記回路基板を前記開口で直交する２つの直線で４つの領域に分割したときの１つの領域である第一領域には、前記複数の素子のうち、前記機能付加装置が接続されたときのみ必要な素子である第一素子と、前記第一接続部とが設けられ、前記４つの領域のうちの前記第一領域の対角に位置する領域には、前記複数の素子のうち、前記第一素子以外の素子が設けられてもよい。
【００１８】
また、本発明の一態様に係る機能付加装置は、照明用光源の発光を制御するための制御信号を前記照明用光源に送信する機能付加部と、前記制御信号を前記照明用光源に送信するために、前記照明用光源に着脱自在に接続される第二接続部とを備える。
【００１９】
また、前記機能付加部は、照度、赤外線、音、振動、ユーザのモーション、温度、及び時間のうちの少なくとも１つを検出し、検出結果に応じて前記制御信号を送信してもよい。
【００２０】
また、さらに、前記機能付加部が設けられる筐体と、前記機能付加部と前記第二の接続部とを電気的に接続し、前記第二接続部を前記筐体から引き離すために前記筐体から引き出されるケーブルと、前記ケーブルを巻き取るリールとを備えてもよい。
【００２１】
また、さらに、前記機能付加部が設けられる筐体と、前記第二の接続部が取り付けられ、前記第二接続部を前記筐体から引き離すために前記筐体から引き出される伸縮部材とを備えてもよい。
【００２２】
また、前記機能付加装置は、さらに、前記照明用光源から供給される電力を蓄電する蓄電部を備え、前記第二接続部は、前記蓄電部に蓄電された電力を前記照明用光源に供給するための端子を有してもよい。
【００２３】
また、本発明の一態様に係る照明用光源は、照明用光源であって、発光部と、機能に応じて制御信号を出力する機能付加部、及び、前記制御信号を前記照明用光源に送信するための第二接続部を有する機能付加装置と、前記機能付加装置から前記制御信号を受信するために前記第二接続部が着脱自在に接続される第一接続部と、前記第一接続部を通じて受信した前記制御信号に応じて前記発光部の発光を制御する制御部とを備える。
【発明の効果】
【００２４】
本発明によれば、機能の拡張に対応していない照明器具にも、ユーザが機能を選択的に付加することができる。
【図面の簡単な説明】
【００２５】
【図１Ａ】実施の形態１に係るＬＥＤユニットを光照射側から見たときの斜視図である。
【図１Ｂ】実施の形態１に係るＬＥＤユニットを口金ピン側から見たときの斜視図である。
【図２】実施の形態１に係るＬＥＤユニットの側面図及び断面図である。
【図３】実施の形態１に係るＬＥＤユニット及び機能付加装置の機能ブロック図である。
【図４】実施の形態１に係るＬＥＤユニットを備える照明装置の断面図である。
【図５】実施の形態２に係るＬＥＤユニットの断面図である。
【図６】第一接続部が透光性カバーに覆われる構成のＬＥＤユニットの斜視図である。
【図７】側面に第一接続部が設けられたＬＥＤユニットの斜視図である。
【図８】設置面に第一接続部が設けられたＬＥＤユニットの斜視図である。
【図９】回路基板における実装部品の位置を説明するための図である。
【図１０】第二接続部が筐体から引き離される機能付加装置の第一の例を示す図である。
【図１１】第二接続部が筐体から引き離される機能付加装置の第二の例を示す図である。
【図１２】機能付加装置が蓄電部を備える場合のＬＥＤユニット及び機能付加装置の機能ブロック図である。
【発明を実施するための形態】
【００２６】
以下、本発明の実施の形態に係る照明用光源、及び機能付加装置について、図面を参照しながら説明する。なお、以下に説明する実施の形態は、いずれも本発明の好ましい一具体例を示すものである。したがって、以下の実施の形態で示される、数値、形状、材料、構成要素、構成要素の配置位置及び接続形態などは、一例であって本発明を限定する主旨ではない。よって、以下の実施の形態における構成要素のうち、本発明の最上位概念を示す独立請求項に記載されていない構成要素については、任意の構成要素として説明される。
【００２７】
以下の実施の形態では、照明用光源の一例である、ダウンライトやスポットライト等のＬＥＤ照明装置に用いられるＬＥＤユニット（ＬＥＤランプ）、及びこれに外付けされる機能付加装置について説明する。なお、各図は模式図であり、必ずしも厳密に図示されたものではない。また、各図において、実質的に同一の構成に対しては同一の符号を付しており、重複する説明は省略又は簡略化する。
【００２８】
（実施の形態１）
図１Ａは、実施の形態１に係るＬＥＤユニットを光照射側から見たときの斜視図であり、図１Ｂは、実施の形態１に係るＬＥＤユニットを口金ピン側から見たときの斜視図である。
【００２９】
図１Ａ及び図１Ｂに示すように、実施の形態１に係るＬＥＤユニット１００は、全体形状が円盤状又は扁平状であるフラット薄形構造のＬＥＤユニット１００であって、透光性カバー１１０と筐体１２０と支持台１３０とによって本体部が構成されている。ＬＥＤユニット１００の口金構造としては、例えば、ＧＸ５３口金又はＧＨ７６ｐ口金が採用されている。
【００３０】
ＬＥＤユニット１００は、所定の回転方向に回転させることによって照明器具に取り付けられる。例えば、図１Ａ及び図１Ｂに示すように、ランプ軸（図示せず）を中心にＬＥＤユニット１００を回転方向Ｒに回転させることで、ＬＥＤユニット１００を照明器具に取り付けることができる。また、ランプ軸を中心に回転方向Ｒと反対の方向にＬＥＤユニット１００を回転させることで、ＬＥＤユニット１００を照明器具から取り外すことができる。
【００３１】
なお、実施の形態１において、光照射側とは、光が出射する側であって、ＬＥＤユニット１００を基準にして、ＬＥＤユニット１００から光が取り出される側である。図１Ａでは、光照射側が上側となるように、また、図１Ｂでは、光照射側が下側となるように図示されている。
【００３２】
ＬＥＤユニット１００は、光照射側の中心部分に、ＬＥＤユニット１００の内部に向かって凹んだ円筒状の凹部を有する。凹部の底面には、第一接続部１９０が設けられる。凹部には、機能付加装置２００が挿入され、第一接続部１９０には、機能付加装置２００の第二接続部２１０が接続される。すなわち、ＬＥＤユニット１００には、機能付加装置２００が接続される。
【００３３】
機能付加装置２００は、ＬＥＤユニット１００に接続されることによってＬＥＤユニット１００に機能を付加する装置である。機能付加装置２００は、実施の形態１では、センサ部２５０（機能付加部）によって赤外線を検知し、ＬＥＤユニット１００の点灯及び消灯を制御するための制御信号をＬＥＤユニット１００に送信する。
【００３４】
ＬＥＤユニット１００は、機能付加装置２００が接続されていないときは、通常通り、壁等に設けられたスイッチのＯＮ・ＯＦＦに応じて点灯及び消灯する動作を行う。
【００３５】
ＬＥＤユニット１００は、ユーザによって機能付加装置２００が接続されたときは、赤外線を検知するいわゆる人感センサ付のＬＥＤユニットとして、赤外線の検知後、一定時間点灯した後、自動的に消灯する動作を行う。つまり、機能付加装置２００によって、ＬＥＤユニット１００には、赤外線検知機能が付加される。
【００３６】
次に、実施の形態１に係るＬＥＤユニット１００及び機能付加装置２００の詳細構成について、図２を用いて説明する。図２は、実施の形態１に係るＬＥＤユニット１００の側面図及び断面図である。図２の（ａ）は、ＬＥＤユニット１００の側面図、図２の（ｂ）は、ＬＥＤユニット１００の断面図である。なお、図２は、光照射側を下側とした場合の図であり、機能付加装置２００が接続された状態におけるＬＥＤユニット１００の断面図である。
【００３７】
図２に示されるように、実施の形態１に係るＬＥＤユニット１００は、透光性カバー１１０と、筐体１２０と、支持台１３０と、ＬＥＤモジュール１４０と、回路基板１６０（駆動回路）と、熱伝導シート１７０と、接続ピン１８０と、第一接続部１９０とを備える。
【００３８】
透光性カバー１１０は、ＬＥＤモジュール１４０から放出される光をランプ外部に取り出すために透光性材料によって構成されており、例えば、アクリル（ＰＭＭＡ）やポリカーボネート（ＰＣ）等の樹脂材料を用いて構成されている。透光性カバー１１０は、光拡散性の無い透明構造としてもよいし、光拡散性を持たせた拡散構造としてもよい。例えば、透光性カバー１１０の内面にシリカや炭酸カルシウム等の光拡散材を含有する樹脂や白色顔料等を塗布することによって乳白色の光拡散膜を形成したり、透光性カバー１１０に微小凹凸を形成したりすることによって、光拡散機能を有する透光性カバー１１０を構成することができる。
【００３９】
また、透光性カバー１１０は、筐体１２０の内部に配置されたＬＥＤモジュール１４０や回路基板１６０を保護するために、第１開口部１２０ａを塞ぐようにして筐体１２０に固定されている。
【００４０】
筐体１２０は、ＬＥＤモジュール１４０及び回路基板１６０を収納する平盤状の円筒部材であり、図２の（ｂ）に示すように、光照射側に形成された第１開口部１２０ａと、光照射側とは反対側に形成された第２開口部１２０ｂとを有する。第１開口部１２０ａには、透光性カバー１１０が取り付けられている。
【００４１】
また、筐体１２０は、例えば、３本のネジによって支持台１３０に固定される。筐体１２０は、例えば、ＰＢＴ（ポリブチレンテレフタレート）等の絶縁性樹脂材料によって構成される。なお、筐体１２０は、樹脂製ではなく、金属製であってもよい。
【００４２】
支持台１３０は、回路基板１６０及び筐体１２０を支持する支持部材である。また、支持台１３０は、ＬＥＤモジュール１４０で発生する熱を放熱するヒートシンクとしても機能する。したがって、支持台１３０は、アルミニウム等の金属材料又は熱伝導率の高い樹脂材料によって構成するとよい。図２の（ｂ）に示すように、支持台１３０は、筐体１２０の第２開口部１２０ｂを塞ぐように配置される。なお、以下の実施の形態１では、支持台１３０は、筐体１２０の一部として説明される。
【００４３】
また、支持台１３０は、熱伝導シート１７０を介して照明器具に接続される。支持台１３０は、筐体１２０及び接続ピン１８０とともに照明器具に接続される所定の口金として機能する。ＬＥＤユニット１００は、照明器具のソケットに適合する規格化された口金構造を有している。このような口金構造としては、上述のとおり、例えばＧＸ５３口金又はＧＨ７６ｐ口金がある。
【００４４】
なお、上記、透光性カバー１１０、筐体１２０、及び支持台１３０は、本体部に相当する。つまり、本体部は、発光部１４２からの光を取り出す発光面（透光性カバー１１０を含む、光照射側の面）と、発光面の周囲に設けられた側面と、発光面と反対側の面である設置面（支持台１３０を含む、照明器具に取り付けられる側の面）とを有し、後述する制御部、及び発光部１４２を収納する。よって、実施の形態１では、第一接続部１９０は、本体部の発光面の中央部分に設けられる。
【００４５】
ＬＥＤモジュール１４０は、ＬＥＤユニット１００における光源であり、白色等の所定の色（波長）の光を放出する。ＬＥＤモジュール１４０（基板１４１）は、円形状の開口が形成された円環状（ドーナツ形状）の基板であり、筐体１２０に配置されている。
【００４６】
ＬＥＤモジュール１４０は、回路基板１６０から供給される電力によって発光する。ＬＥＤモジュール１４０から放出された光は、透光性カバー１１０を透過してランプ外部に出射する。
【００４７】
図２の（ｂ）に示すように、ＬＥＤモジュール１４０は、例えば、基板１４１と発光部１４２とによって構成することができる。
【００４８】
ＬＥＤモジュール１４０は、ベアチップ（ＬＥＤ、発光素子）が基板１４１上に直接実装された、いわゆるＣＯＢ（Ｃｈｉｐ  Ｏｎ  Ｂｏａｒｄ）構造である。
【００４９】
発光部１４２は、複数のＬＥＤと、複数のＬＥＤを封止する封止部材とからなる。ＬＥＤは、発光素子の一例であって、所定の電力により発光する半導体発光素子である。実施の形態１におけるＬＥＤは、単色の可視光を発するベアチップであり、例えば、通電されれば青色光を発する青色発光ＬＥＤチップを用いることができる。ＬＥＤは、例えば、基板１４１の主面上において、複数列に又はマトリクス状に複数個実装される。
【００５０】
封止部材は、例えば樹脂からなり、複数のＬＥＤを一括封止するように形成される。この場合、ＬＥＤの素子列毎に一括封止するように直線状に封止部材を形成してもよいし、あるいは、基板１４１上の全てのＬＥＤを一括封止するように平面視形状が円形状又は矩形状に形成してもよい。
【００５１】
封止部材は、主として透光性材料からなるが、ＬＥＤの光の波長を所定の波長に変換する必要がある場合には、透光性材料に波長変換材が混入される。実施の形態１における封止部材は、波長変換材として蛍光体を含み、ＬＥＤが発する光の波長（色）を変換する波長変換部材である。このような封止部材としては、例えば、蛍光体として蛍光体粒子を含有する絶縁性の樹脂材料（蛍光体含有樹脂）によって構成することができる。蛍光体粒子は、ＬＥＤが発する光によって励起されて所望の色（波長）の光を放出する。
【００５２】
封止部材を構成する透光性樹脂材料としては、例えば、シリコーン樹脂を用いることができる。また、封止部材に含有させる蛍光体粒子としては、例えば、ＬＥＤが青色光を発光する青色発光ＬＥＤである場合、白色光を得るために、例えばＹＡＧ系の黄色蛍光体粒子を用いることができる。これにより、ＬＥＤが発した青色光の一部は、封止部材に含まれる黄色蛍光体粒子によって黄色光に波長変換される。そして、黄色蛍光体粒子に吸収されなかった青色光と黄色蛍光体粒子によって波長変換された黄色光とが混ざって封止部材から白色光となって出射される。
【００５３】
基板１４１としては、セラミックス基板、樹脂基板又はメタルベース基板を用いることができる。ＬＥＤモジュール１４０は、例えば基板１４１と筐体１２０とがねじ止めされることで筐体１２０に保持される。
【００５４】
回路基板１６０は、金属配線がパターン形成されたプリント基板である。図２の（ｂ）に示すように、回路基板１６０は、支持台１３０に載置されて支持台１３０に固定される。例えば、回路基板１６０と支持台１３０との間に接着剤を塗布することによって回路基板１６０と支持台１３０とを固着することができる。
【００５５】
回路基板１６０の形状は、平面視形状が矩形状のものを用いることができるが、平面視形状が六角形や八角形等の多角形状又は円形状のものも用いてもよい。
【００５６】
回路基板１６０の光照射側の主面には、ＬＥＤモジュール１４０（発光部１４２）を発光させるための駆動回路（図示せず）が設けられる。例えば、駆動回路は、接続ピン１８０から供給される交流電力（例えばＡＣ１００Ｖの商用電源からの電力）を直流電力に変換し、当該直流電力をＬＥＤモジュール１４０に供給する。なお、駆動回路（回路基板１６０）に供給される電力は、交流電力ではなく、直流電力であってもよい。
【００５７】
駆動回路を構成する回路素子（図示せず）としては、例えば、電解コンデンサやセラミックコンデンサ等の容量素子、抵抗素子、コイル素子、チョークコイル（チョークトランス）、ノイズフィルタ、ダイオード又は集積回路素子等の半導体素子等である。回路素子の多くは、回路基板１６０の光照射側の主面に実装されている。
【００５８】
回路基板１６０の光照射側の主面には、第一接続部１９０が設けられる。第一接続部１９０は、機能付加装置２００から制御信号を受信するために機能付加装置２００が着脱自在に接続されるコネクタである。ここで、着脱自在とは、ＬＥＤユニット１００の出荷後に、ユーザによって事後的に機能付加装置２００が取り付け可能なことを意味する。
【００５９】
第一接続部１９０は、ＵＳＢ（Ｕｎｉｖｅｒｓａｌ  Ｓｅｒｉａｌ  Ｂｕｓ）準拠のコネクタ、ＨＤＭＩ（登録商標）（Ｈｉｇｈ  Ｄｅｆｉｎｉｔｉｏｎ  Ｍｕｌｔｉｍｅｄｉａ  Ｉｎｔｅｒｆａｃｅ）準拠のコネクタ、Ｓ−ＡＴＡ（Ｓｅｒｉａｌ  Ａｄｖａｎｃｅｄ  Ｔｅｃｈｎｏｌｏｇｙ  Ａｔｔａｃｈｍｅｎｔ）準拠のコネクタなど標準化されたコネクタであってもよいし、専用のコネクタであってもよい。すなわち、第一接続部１９０は、機能付加装置２００の第二接続部２１０と着脱自在に接続され、機能付加装置２００からＬＥＤユニット１００に制御信号の送信ができるのであれば、どのような形状であってもよい。
【００６０】
熱伝導シート１７０は、支持台１３０を介して伝達されるＬＥＤモジュール１４０からの熱を照明器具側に逃がすためのシートである。具体的には、熱伝導シート１７０は、熱伝導率の高い樹脂製シートであり、例えばシリコンシート又はアクリルシートを用いることができる。
【００６１】
接続ピン１８０（第三接続部、口金ピン）は、導電ピンであり、ＬＥＤモジュール１４０を発光させるための電力をランプ外部から受電する機能を有する。つまり、接続ピン１８０は、電源供給用の電気接続ピンである。
【００６２】
例えば、一対の接続ピン１８０によって、照明器具から所定の交流電力を受電する。各接続ピン１８０と回路基板１６０とはリード線（図示せず）によって接続されており、一対の接続ピン１８０で受電した交流電圧は、リード線を介して回路基板１６０（駆動回路）に供給される。なお、一対の接続ピン１８０は交流電圧を受電するが、異なる２つの直流電圧を受電するように構成してもよい。
【００６３】
また、接続ピン１８０は、ＬＥＤユニット１００を照明器具に取り付けるための取り付け部としても機能する。具体的には、接続ピン１８０が照明器具のソケットに接続されることによって、ＬＥＤユニット１００が照明器具に保持される。
【００６４】
接続ピン１８０は、筐体１２０の光照射側の面と反対側の面から外部に突出するように構成されている。接続ピン１８０は、例えば、筐体１２０に設けられた貫通孔に圧入されて固定されている。
【００６５】
なお、接続ピン１８０は、電源供給用として２本設けられているが、電源供給用の接続ピンに加えて、調光信号等の電気信号を受けるための信号用の電気接続ピン、あるいは、その他の機能を有する接続ピンを備えていてもよい。
【００６６】
機能付加装置２００は、第二接続部２１０と、樹脂製の筐体２２０と、センサ部２５０とを備える。機能付加装置２００の詳細については、図３を用いて後述する。
【００６７】
次に、実施の形態１に係るＬＥＤユニット１００及び機能付加装置２００の機能構成等について、図３及び図４を用いて説明する。図３は、実施の形態１に係るＬＥＤユニット１００及び機能付加装置２００の機能ブロック図である。図４は、実施の形態１に係るＬＥＤユニット１００を備える照明装置の断面図である。
【００６８】
まず、ＬＥＤユニット１００について説明する。
【００６９】
図３に示されるように、ＬＥＤユニット１００は、発光部１４２と、電源変換部１９１と、第一接続部１９０と、制御部１９２とを備える。制御部１９２は、電源部１９３と、電力供給部１９４とを有する。
【００７０】
発光部１４２は、制御部１９２の電力供給部１９４からの供給される直流電力により発光する発光部である。
【００７１】
電源変換部１９１は、照明器具３００から供給される交流電力を直流電力に変換して制御部１９２に出力する。ここで、ＬＥＤユニット１００は、図４に示されるように部屋の天井に設けられた照明器具３００（反射板３１０及びソケット３２０）に取り付けられる。電源変換部１９１は、接続ピン１８０が照明器具３００の接続孔３２１（第四接続部）に挿入されることによって、接続ピン１８０を介して照明器具３００から電力の供給を受ける。
【００７２】
電源変換部１９１は、具体的には、例えば、上述の駆動回路に含まれる、４つのダイオードで構成されるブリッジ型全波整流回路であるが、ＡＣ−ＤＣコンバータＩＣなど、どのような態様であってもよい。
【００７３】
電源部１９３は、電源変換部１９１から受けた直流電力を用いて制御部１９２を動作させる。電源部１９３は、具体的には、例えば、上述の駆動回路に含まれる電源回路であるが、ＤＣ−ＤＣコンバータＩＣなど、どのような態様であってもよい。
【００７４】
電力供給部１９４は、発光部１４２に電力を供給する。電力供給部１９４は、例えば、上記駆動回路に含まれる、インバータ回路とこれに接続される整流回路である。しかしながら、電力供給部１９４は、例えば、制御信号に応じてスイッチング制御状態を変更し、発光部１４２への電力を調整するチョッパ制御回路など、どのような態様であってもよい。チョッパ制御回路とは、具体的には、ＰＷＭ（Ｐｕｌｓｅ  Ｗｉｄｔｈ  Ｍｏｄｕｌａｔｉｏｎ）回路や、ＰＦＭ（Ｐｕｌｓｅ  Ｆｒｅｑｕｅｎｃｙ  Ｍｏｄｕｌａｔｉｏｎ）回路などである。制御部１９２が、発光部１４２の点灯及び消灯のみを制御するような場合は、制御信号に応じて発光部１４２への電力の供給の有無を切り替えるスイッチであってもよい。
【００７５】
制御部１９２は、第一接続部１９０に接続された機能付加装置２００から受信した制御信号に応じて発光部１４２の発光を制御する。制御部１９２は、例えば、制御信号に応じて、発光部１４２の点灯及び消灯を制御する。制御部１９２は、具体的には、上述の駆動回路に含まれる、制御信号に応じて動作する回路であるが、プロセッサ等の集積回路の一機能として実現されてもよく、どのような態様であってもよい。
【００７６】
実施の形態１では、制御部１９２の電力供給部１９４は、制御信号に応じて発光部１４２に供給する電力の量を制御することにより発光部１４２の発光を制御する。実施の形態１では、具体的には、制御部１９２の電力供給部１９４は、制御信号に基づいて発光部１４２の点灯及び消灯を制御する。
【００７７】
なお、図３において破線で示されるように、電力供給部１９４ではなく、電源部１９３が制御信号に応じて電源変換部１９１から受電する電力量、若しくは電源部１９３が電力供給部１９４へ給電する電力量を制御することにより発光部１４２の発光を制御してもよい。具体的には、電力供給部１９４が、電源部１９３が給電する参照電圧に応じて発光部１４２への出力を変動させるＩＣなどである場合、電源部１９３の入出力を調整することで発光部１４２の発光を制御することができる。電源部１９３が、発光部１４２の点灯及び消灯のみを制御するような場合は、電源部１９３は、制御信号に応じて受電する電力の有無を切り替えるスイッチであってもよい。
【００７８】
第一接続部１９０は、機能付加装置２００のセンサ部２５０から制御信号を受信するために機能付加装置２００の第二接続部２１０が着脱自在に接続されるコネクタである。すなわち、第一接続部１９０は、機能付加装置２００のセンサ部２５０から制御信号を受信するための端子を有する。また、第一接続部１９０は、電源変換部１９１が出力する直流電力を機能付加装置２００に供給するための第一の端子を有する。第一の端子を介して供給される電力によって、機能付加装置２００は動作する。
【００７９】
次に、機能付加装置２００について説明する。
【００８０】
図３に示されるように、機能付加装置２００は、第二接続部２１０と、センサ部２５０とを備える。
【００８１】
第二接続部２１０は、第一接続部１９０の形状に対応する形状のコネクタであり、第一接続部１９０に接続される。機能付加装置２００（センサ部２５０）は、第一接続部１９０が有する第一の端子を介して供給される電力によって動作する。なお、機能付加装置２００は、バッテリーを内蔵することにより、ＬＥＤユニット１００から電力供給を受けずに動作する構成であってもよい。
【００８２】
センサ部２５０は、赤外線を検出する、いわゆる人感センサモジュールである。なお、センサ部２５０は、赤外線を検出する構成に限定されない。例えば、センサ部２５０は、センサ部２５０の周辺の照度、音、温度などを検出してもよい。この場合、センサ部２５０には、既存の照度センサ、音センサ、温度センサなどが適用できる。また、センサ部２５０の振動、ユーザのモーション（ユーザのジェスチャ）などを検出してもよい。例えば、ＬＥＤユニット１００が移動体（車など）に設けられるような場合、センサ部２５０は、移動体の移動によるセンサ部２５０の振動を検出する。つまり、機能付加装置２００は、検出対象を検出するセンサ装置であってもよい。
【００８３】
なお、モーションの検出は、例えば、センサ部２５０に反射型のセンサ（モーションセンサ）を適用することによって実現可能である。センサ部２５０が反射型のセンサである場合、センサ部２５０は、ユーザに対して光を投射し、その反射光によりユーザまでの距離を測定する。つまり、センサ部２５０は、ユーザが決められた距離内にいるかを検出することができる。ユーザが上記決められた距離内（検出範囲）に手を出し入れするなどすれば、センサ部２５０は、これをモーションとして検出することができる。
【００８４】
実施の形態１では、センサ部２５０は、赤外線の検出結果に応じた制御信号をＬＥＤユニット１００に出力する。これにより、ＬＥＤユニット１００は、センサ部２５０が赤外線を検出後、一定期間点灯し、その後消灯する。すなわち、ＬＥＤユニット１００は、いわゆる人感センサ付の照明用光源として動作する。
【００８５】
以上、説明したようにＬＥＤユニット１００は、第一接続部１９０に機能付加装置２００の第二接続部２１０が接続される。機能付加装置２００によって、ＬＥＤユニット１００には、赤外線検知機能が付加される。よって、ユーザは、機能の拡張に対応していない照明器具３００を有する照明装置に、機能を選択的に付加することができる。
【００８６】
照明器具３００は、図４に示されるように部屋の天井等に設置され、ＬＥＤユニット１００と合わせて照明装置４００を構成する。したがって、従来は、照明器具３００が機能の拡張に対応していない場合は、照明装置４００の機能を拡張するために、業者に依頼して照明器具３００自体を交換する工事が必要であった。
【００８７】
しかしながら、ＬＥＤユニット１００によれば、ユーザは、ＬＥＤユニット１００を照明器具３００に取り付け、なおかつユーザが付加したい機能を有する機能付加装置２００を選択してＬＥＤユニット１００に接続することで簡単に照明装置４００の機能を拡張することができる。すなわち、ＬＥＤユニット１００によれば、機能付加の自由度の高い照明装置４００が実現される。
【００８８】
また、ＬＥＤユニット１００では、機能付加装置２００が外付けされるため、センサ部２５０（機能付加部）が内蔵されるＬＥＤユニット場合に比べ、駆動回路と、センサ部２５０とを離して設置することができる。これにより、機能付加装置２００が、駆動回路に起因する発熱及びノイズの影響を受けにくいため、ＬＥＤユニット１００では、機能付加装置２００が付加する機能を安定的に使用することができる。
【００８９】
また、第一接続部１９０がＬＥＤユニット１００の本体部の発光面の中央部分に設けられるため、ＬＥＤユニット１００が照明器具３００に取り付けられた場合に、ＬＥＤユニット１００は、センサ部２５０の検出対象の検出範囲を確保しやすい。
【００９０】
さらに、発光部１４２は、基板１４１に設けられるが、第一接続部１９０は、基板１４１とは異なる回路基板１６０に設けられる。このように、第一接続部１９０と、発光部１４２とが別基板に設けられることによって、第一接続部１９０に接続される機能付加装置２００は、発光部１４２の発光による熱の影響を受けにくい。すなわち、第一接続部１９０と、発光部１４２とが別基板に設けられることによって、機能付加装置２００の信頼性を高めることができる。
【００９１】
なお、実施の形態１では、機能付加装置２００のセンサ部２５０（機能付加部）は、赤外線センサとして説明されたが、このような構成に限定されない。例えば、上述のように、センサ部２５０は、照度センサ、音センサ、振動センサ、モーションセンサ、温度センサなどであってもよい。
【００９２】
また、センサ部２５０は、リモコンの受光部であってもよい。この場合、ユーザは、ＬＥＤユニット１００及び機能付加装置２００によって照明装置４００のリモコン操作が可能となる。
【００９３】
また、機能付加装置２００は、機能付加部としてタイマ部を備えてもよい。この場合、タイマ部は、ユーザが設定した時間（時刻）に応じて制御信号を送信する。言い換えれば、タイマ部は、時間を検出する。
【００９４】
また、機能付加装置２００は、機能付加部として無線モジュールを備えてもよい。この場合、ＬＥＤユニット１００及び機能付加装置２００によって、ユーザは、照明装置４００を無線により制御することができる。
【００９５】
また、機能付加装置２００は、上記のセンサ部、タイマ部、無線モジュール等のうちの複数の機能付加部を備えてもよい。また、機能付加装置２００は、上述のような機能付加部に加えて、補助的な機能付加部である第二の機能付加部を備えてもよい。例えば、機能付加装置２００は、第二の機能付加部として、揮発性の物質を散布する芳香散布部（例えば、スプレー式の芳香散布部）を備えてもよい。
【００９６】
この場合、制御部１９２は、例えば、赤外線センサによる検知後、発光部１４２を所定時間点灯し、さらに発光部１４２を消灯するとともに、一定時間、芳香散布を行うなどの制御が可能となる。
【００９７】
また、実施の形態１では、制御部１９２は、発光部１４２の点灯及び消灯（発光部１４２の点滅）を制御したが、制御部１９２の制御内容は、発光部１４２の点灯及び消灯に限定されない。制御部１９２は、例えば、発光部１４２の調光を制御してもよい。
【００９８】
制御部１９２は、制御信号に応じて、発光部１４２に含まれるＬＥＤの発光個数を制御することにより、発光部１４２の調光を制御することができる。また、制御部１９２の電力供給部１９４がＰＷＭ回路であれば、制御部１９２の電力供給部１９４は、制御信号に応じて発光部１４２に供給される電圧のパルス幅変調を行い、発光部１４２の調光を制御することができる。
【００９９】
また、制御部１９２は、発光部１４２の調色を制御してもよい。例えば、発光部１４２が、発光部１４２に含まれるＬＥＤを覆うように設けられる、調色２色性色素を有するネマティック液晶を有する構成であれば、制御部１９２は、制御信号に応じて、当該ネマティック液晶の光の透過率を電圧印加によって制御すればよい。これにより、制御部１９２は、発光部１４２の調色を制御することができる。また、発光部１４２が色温度の異なる複数のＬＥＤを有し、制御部１９２が点灯させるＬＥＤの組み合わせと、点灯させるＬＥＤの個数とを制御することにより、発光部１４２の調色を制御してもよい。
【０１００】
また、制御部１９２は、発光部１４２の配光を制御してもよい。例えば、発光部１４２に含まれる複数ＬＥＤの配光角を変更するための駆動機構（駆動部）を設け、制御部１９２は、制御信号に応じて駆動部を制御することにより、発光部１４２の配光を制御してもよい。
【０１０１】
また、発光部１４２に含まれるＬＥＤの配光角を変更するための光学部材と、その位置又は角度を変更する駆動機構（駆動部）とを設け、制御部１９２が制御信号に応じて光学部材の駆動部を制御することにより、発光部１４２の配光を制御してもよい。また、発光部１４２が取り付け角度（発光面の角度）の異なる複数のＬＥＤを有し、制御部１９２が、制御信号に応じて、点灯させるＬＥＤの組み合わせと、点灯させるＬＥＤの個数とを制御することによって、発光部１４２の配光を制御してもよい。
【０１０２】
（実施の形態２）
実施の形態１では、第一接続部１９０は、ＬＥＤユニット１００の本体部の発光面の中央部分（中心部分）に設けられたが、第一接続部１９０が設けられる位置は、このような位置に限定されない。第一接続部１９０は、ＬＥＤユニットの本体部の発光面の周縁部分に設けられてもよい。また、第一接続部１９０と制御部１９２とを電気的に接続し、第一接続部１９０が取り付けられる位置を変更するためのケーブルを備えてもよい。
【０１０３】
また、ＬＥＤユニットの構成についても、実施の形態１のような構成に限定されない。以下、実施の形態２に係るＬＥＤユニットについて図面を参照しながら説明する。
【０１０４】
図５は、実施の形態２に係るＬＥＤユニットの断面図である。なお、図５は、光照射側を下側とした場合の断面図である。なお、図５に示されるＬＥＤユニットの外形等は、図１Ａ、図１Ｂ、及び図２において説明したものと略同様であるため、説明を省略する。
【０１０５】
図５に示されるＬＥＤユニット１００ａは、透光性カバー１１０ａの形状と、ＬＥＤモジュール１４０ａと、回路基板１６０ａと、第一接続部１９０の配置とにおいて、ＬＥＤユニット１００と異なる。また、ＬＥＤユニット１００ａは、反射板１５０が設けられている点においても、ＬＥＤユニット１００と異なる。その他の構成は、ＬＥＤユニット１００とほぼ同一である。以下、相違点を中心に説明する。
【０１０６】
ＬＥＤモジュール１４０ａは、基板１４１ａと発光部１４２ａとを備え、支持台１３０に載置されて支持台１３０に固定される。すなわち、ＬＥＤユニット１００ａにおけるＬＥＤモジュール１４０ａの位置は、ＬＥＤユニット１００における回路基板１６０の位置に相当する。ＬＥＤモジュール１４０ａと支持台１３０とは、例えば、ＬＥＤモジュール１４０ａと支持台１３０と間に接着剤が塗布されることによって固着される。
【０１０７】
基板１４１ａの形状は、平面視形状が矩形状のものを用いることができるが、平面視形状が矩形状六角形や八角形等の多角形状又は円形状のものも用いてもよい。
【０１０８】
なお、ＬＥＤモジュール１４０ａは、上述のようにＳＭＤ型であってもよいし、ＣＯＢ型であってもよい。
【０１０９】
回路基板１６０ａは、円形状の開口が形成された円環状（ドーナツ形状）の基板であり、筐体１２０の内方かつ反射板１５０の外方に配置されている。すなわち、ＬＥＤユニット１００ａにおける回路基板１６０ａの位置は、ＬＥＤユニット１００におけるＬＥＤモジュール１４０の位置に相当する。
【０１１０】
ＬＥＤユニット１００ａでは、透光性カバー１１０ａとＬＥＤモジュール１４０ａとの間には、反射板１５０（反射鏡）が配置されている。反射板１５０は、反射機能を有する反射部材であって、ＬＥＤモジュール１４０ａの光が入射する開口である入射口と、入射口から入射した光が反射板１５０から出射する開口である出射口とを有する。実施の形態２における反射板１５０は、内径が入射口から出射口に向かって漸次大きくなるように構成された円錐台筒状である。具体的には、反射板１５０は、ラッパ状（漏斗状）である。
【０１１１】
入射口は、ＬＥＤモジュール１４０ａの発光領域（発光部１４２ａ）を囲むように構成されている。また、出射口の開口面積は、透光性カバー１１０ａの平面部の面積とほぼ同じである。
【０１１２】
また、反射板１５０の内面は、ＬＥＤモジュール１４０ａからの光を反射する反射面となっている。反射面は、入射口から入射した光を反射させて出射口から出射するように構成されている。反射板１５０によってＬＥＤモジュール１４０ａの光は透光性カバー１１０ａに導かれる。
【０１１３】
反射板１５０は、例えば、絶縁性を有する硬質の白色樹脂材料によって構成することができる。なお、反射率を向上させるために、樹脂製の反射板１５０の内面に、銀やアルミニウム等の金属材料からなる金属蒸着膜（金属反射膜）をコーティングすることによって反射面を構成しても構わない。また、樹脂材料を用いずに、反射板１５０全体をアルミニウム等の金属材料を用いて成形してもよい。
【０１１４】
第一接続部１９０は、ケーブル１５５によって回路基板１６０ａに電気的に接続され、透光性カバー１１０ａ（又は筐体１２０）によって可動自在かつ回転可能な状態に保持されている。すなわち、第一接続部１９０は、本体部（透光性カバー１１０ａ、筐体１２０、及び支持台１３０）の表面に設けられる。具体的には、第一接続部１９０は、透光性カバー１１０ａ及び反射板１５０の周縁部に設けられた開口１１５において保持される。このように、透光性カバー１１０ａの周縁部において第一接続部１９０が保持されることにより、第一接続部１９０がＬＥＤユニット１００ａの光を遮りにくい効果がある。
【０１１５】
また、第一接続部１９０は、ケーブル１５５が本体部から引き出されることによって、透光性カバー１１０ａの表面から引き離され、透光性カバー１１０ａの表面から所定の範囲まで移動することができ、任意の角度に回転されて透光性カバー１１０ａの表面に取り付けられる。なお、ＬＥＤユニット１００ａは、さらに、ケーブル１５５を巻き取るためのリールを備えてもよい。
【０１１６】
また、第一接続部１９０が取り付けられる位置は、透光性カバー１１０ａに限定されず、例えば、筐体１２０に取り付けられてもよい。また、ＬＥＤユニット１００ａが照明器具３００に取り付けられている場合、第一接続部１９０は、照明器具３００に取り付けられてもよい。第一接続部１９０の取り付け方法は、特に限定されず、マグネットによって取り付けられてもよいし、吸盤によって取り付けられてもよい。
【０１１７】
このように、第一接続部１９０の位置を変更可能な構成にすることで、第一接続部１９０に接続される機能付加装置２００のセンサ部２５０の位置を変更することができる。図４を用いて説明したように、ＬＥＤユニット１００ａは、照明器具３００にはめ込まれる。したがって、センサ部２５０の位置によっては、照明器具３００がセンサ部２５０の検出の妨げになり、センサ部２５０の検出範囲は小さくなる。上記のような構成により、ＬＥＤユニット１００ａと、センサ部２５０を引き離すことができ、センサ部２５０の取り付け位置を、ケーブル１５５が届く範囲内において自由に変更することができる。すなわち、センサ部２５０を照明器具３００が邪魔にならない位置に移動させ、検出範囲を拡大することができる。
【０１１８】
なお、以上説明したＬＥＤユニット１００及び１００ａでは、第一接続部１９０は、本体部の発光面側に設けられる。このような構成では、第一接続部１９０にホコリ等の異物が侵入する可能性がある。このため、機能付加装置２００が接続されていないときには、ＬＥＤユニット１００に機能付加装置２００のダミーが接続されてもよいし、第一接続部１９０に、第一接続部１９０を覆う絶縁性の保護キャップが取り付けられてもよい。また、ＬＥＤユニット１００ａでは、機能付加装置２００が接続されていないときには、リールでケーブルを巻き取ることによって第一接続部１９０が本体部の内側に収納されてもよい。
【０１１９】
また、透光性カバーを利用して、第一接続部１９０が透光性カバー１１０に覆われるような構成であってもよい。
【０１２０】
図６は、第一接続部１９０が透光性カバーに覆われる構成のＬＥＤユニットの斜視図である。
【０１２１】
ＬＥＤユニット１００ｂの本体部（透光性カバー１１０ｂ、筐体１２０、及び支持台１３０）は、発光部１４２からの光を取り出す発光面（透光性カバー１１０ｂを含む面）と、発光面の周囲に設けられた側面と、発光面と反対側の面である設置面（支持台１３０を含む面）とを有し、制御部１９２、及び発光部１４２を収納する。
【０１２２】
ここで、筐体１２０は、設置面を含み、透光性カバー１１０ｂと対向する面１８５に第一接続部１９０が設けられる。また、透光性カバー１１０ｂは、発光面を含み、筐体１２０に対して回転可能に取り付けられ、切り欠き部１９５を有する。切り欠き部１９５は、透光性カバーに設けられる開口である。
【０１２３】
図６の（ａ）に示されるように、第一接続部１９０は、機能付加装置２００が接続されず、使用されない場合は、透光性カバー１１０ｂによって覆われる。すなわち、図６の（ａ）に示される状態では、第一接続部１９０には、機能付加装置２００は接続不可能である。
【０１２４】
ここで、ユーザは、透光性カバー１１０ｂを筐体１２０に対して回転させ、透光性カバー１１０ｂを、切り欠き部１９５と、筐体１２０の面１８５とが発光面側から見て重なる位置に動かすことができる。これにより、第一接続部１９０は、発光面側から機能付加装置２００が接続可能な状態となる。つまり、透光性カバー１１０ｂが筐体１２０に対して回転されることによって、第一接続部１９０は、透光性カバー１１０ｂに設けられた切り欠き部１９５を通じて機能付加装置２００（第二接続部２１０）が接続可能な状態となる。
【０１２５】
ここで、第一接続部１９０は、側面からは、透光性カバー１１０ｂの回転位置によらず露出しているが、側面は、図４を用いて説明したように、通常は照明器具３００によって覆われている。したがって、ＬＥＤユニット１００ｂでは、機能付加装置２００が接続されない場合は、透光性カバー１１０ｂを回転させるだけで、簡単に第一接続部１９０へのホコリ等の異物の侵入を防止することができる。
【０１２６】
また、機能付加装置２００が、ケーブルを介して第一接続部１９０に接続されるような場合は、図６の（ａ）に示されるように透光性カバー１１０ｂを回転させ、ケーブル及びセンサ部２５０を側面の隙間から出すことができる。これにより、機能付加装置２００が脱落する危険性を下げることができる。
【０１２７】
また、ＬＥＤユニット１００、１００ａ、及び１００ｂでは、第一接続部１９０は、本体部の発光面側に設けられたが、図７に示されるＬＥＤユニット１００ｃのように、第一接続部１９０は、本体部の側面に設けられてもよい。また、図８に示されるＬＥＤユニット１００ｄのように、第一接続部１９０は、本体部の設置面（支持台１３０を含む）に設けられてもよい。また、第一接続部１９０は、１つのＬＥＤユニットに対して複数設けられてもよい。すなわち、１つのＬＥＤユニットに複数の機能を付加することが可能な構成であってもよい。
【０１２８】
また、ＬＥＤユニット１００、１００ａ、及び１００ｂにおいて、制御部１９２のうち、機能付加装置２００を用いた動作時に使用される部分は、駆動回路（制御部）と離れた位置に実装されることが望ましい。
【０１２９】
図９は、回路基板１６０ａにおける実装部品の位置を説明するための図である。なお、図９は、ＬＥＤユニット１００ａに用いられるようなドーナツ型の回路基板１６０ａを主面に垂直な方向から見た図である。
【０１３０】
制御部１９２のうち、機能付加装置２００が接続されたときのみ必要な複数の素子のそれぞれを第一素子、機能付加装置２００の接続の有無に関わらずＬＥＤユニット１００ａの動作に必要な複数の素子のそれぞれを第二素子とした場合、第一素子と、第二素子とは、離れて実装されることが望ましい。
【０１３１】
例えば、図９に示される回路基板１６０ａ上の第一領域１６５ａに第一接続部１９０及び第一素子が設けられる（実装される）場合、第二素子は、第一領域１６５ａの対角に位置する第二領域１６５ｂに設けられることが望ましい。
【０１３２】
ここで、第一領域１６５ａは、開口を有するドーナツ型の回路基板を、回路基板の主面に垂直な方向から見た場合に、開口で直交する２つの直線で４つの領域に分割した場合の１つの領域である。なお、図９の例では、２つの直線は、ドーナツ型の回路基板が形成する円形状の中心で直交している。
【０１３３】
このような構成により、機能付加装置２００が、制御部１９２に起因する発熱及びノイズの影響を低減することができるため、機能付加装置２００の信頼性が高まり、ＬＥＤユニット１００ａは、機能付加装置２００が付加する機能を安定的に使用することができる。
【０１３４】
なお、図９は、第一素子と、第二素子とを離して実装する一例を示す図である。よって、回路基板及び開口の形状は円形に限定されるわけではない。また、第一素子と、第二素子とが離されて実装されれば、領域の分割方法は、図９に示される方法以外の方法であってもよい。また、例えば、第一素子と、第二素子とがそれぞれ別の基板に実装されてもよい。
【０１３５】
（実施の形態３）
以下、実施の形態３について説明する。
【０１３６】
実施の形態２では、ＬＥＤユニット１００ｂにおいて本体部から第一接続部１９０の位置がケーブル１５５によって変更可能な例について説明したが、機能付加装置２００において、第二接続部２１０が筐体２２０から引き離されてもよい。
【０１３７】
図１０は、第二接続部２１０が筐体２２０から引き離される機能付加装置の第一の例を示す図である。
【０１３８】
図１０に示されるように、機能付加装置２００ａは、センサ部２５０（機能付加部）が設けられる筐体２２０と、センサ部２５０と第二接続部２１０とを電気的に接続し、第二接続部２１０を筐体２２０から引き離すために筐体２２０から引き出されるケーブル２５５と、ケーブル２５５を巻き取るリール２３０とを備える。なお、図１０に示されるように、機能付加装置２００ａでは、リール２３０は、筐体２２０の内部に設けられるが、筐体２２０の外部に設けられてもよい。リール２３０によって、ケーブル２５５が適切な長さに巻き取られることにより、ケーブル２５５がたわんでＬＥＤユニットからの光を遮ることを防止することができる。
【０１３９】
図１０の（ａ）に示される状態からユーザが第二接続部２１０を引っ張ることにより、リール２３０に巻かれているケーブル２５５が引き出されるため、第二接続部２１０は、図１０の（ｂ）に示されるように筐体２２０から引き離される。このような構成により、ＬＥＤユニットと、センサ部２５０とを引き離すことができ、センサ部２５０の取り付け位置を、ケーブル１５５が届く範囲内において自由に変更することができる。
【０１４０】
また、機能付加装置は、ケーブル１５５に代えて伸縮部材を備えてもよい。
【０１４１】
図１１は、第二接続部２１０が筐体２２０から引き離される機能付加装置の第二の例を示す図である。
【０１４２】
図１１に示されるように、機能付加装置２００ｂは、センサ部２５０（機能付加部）が設けられる筐体２２０と、第二接続部２１０が取り付けられ、第二接続部２１０を筐体２２０から引き離すための伸縮部材２６０とを備える。なお、第二接続部２１０とセンサ部２５０とは、伸縮部材２６０の内部で配線によって電気的に接続されている。
【０１４３】
図１１に示される伸縮部材２６０は、いわゆるロッドアンテナのような構造である。しかしながら、伸縮可能な部材であればどのような構成であってもよく、伸縮部材２６０は、弾性体などであってもよい。
【０１４４】
図１１の（ａ）に示される状態からユーザが第二接続部２１０を引っ張ることにより、伸縮部材２６０の長さが伸びるため、第二接続部２１０は、図１１の（ｂ）に示されるように筐体２２０から引き離される。また、図１１の（ｂ）に示される状態からユーザが第二接続部２１０を筐体２２０側に押し込めば、伸縮部材２６０の長さが縮むため、第二接続部２１０は、図１１の（ａ）に示されるように筐体２２０に接触する。このような構成により、ＬＥＤユニットと、センサ部２５０との位置を調節することができ、センサ部２５０を、伸縮部材２６０が伸縮する範囲内で自由に移動させることができる。
【０１４５】
なお、ＬＥＤユニットが、第一接続部１９０が取り付けられ、第一接続部１９０を本体部の表面から引き離すための伸縮部材を備えてもよい。
【０１４６】
上記ケーブル２５５や、伸縮部材２６０は、なるべくＬＥＤユニットからの光を遮らないことが望ましい。したがって、上記ケーブル２５５や、伸縮部材２６０には、光を吸収しにくい白色の素材や、鏡面の素材、光の透過率の高い素材（フレキなど）で構成されるとよい。
【０１４７】
また、実施の形態１及び２で説明した機能付加装置２００は、蓄電部を備えてもよい。
【０１４８】
図１２は、機能付加装置２００が蓄電部を備える場合のＬＥＤユニット１００及び機能付加装置２００の機能ブロック図である。
【０１４９】
図１２に示されるように、機能付加装置２００は、ＬＥＤユニットから供給される電力を蓄電する蓄電部２４０を備える。蓄電部２４０は、例えば、リチウムイオンバッテリーなどの蓄電池である。
【０１５０】
図１２に示されるように、蓄電部２４０は、ＬＥＤユニット１００の電源変換部１９１から供給される直流電力を蓄電する。なお、蓄電部２４０は、ＬＥＤユニット１００の電力供給部１９４から供給される直流電力を蓄電してもよい。
【０１５１】
蓄電部２４０に蓄電された電力は、センサ部２５０の動作に用いられてもよいが、図１２の例では、ＬＥＤユニット１００の電源部１９３に供給され、ＬＥＤユニット１００の動作に使用される。この場合、第二接続部２１０は、蓄電部２４０に蓄電された電力をＬＥＤユニット１００に供給するための端子を有する。
【０１５２】
これにより、ＬＥＤユニット１００は、停電時などにおいても蓄電部２４０に蓄電された電力を用いて動作することができる。なお、停電（電源異常）の検出は、ＬＥＤユニット１００（制御部１９２）側で行われ、ＬＥＤユニット１００から機能付加装置２００（機能付加部２５０）に通知されてもよいし、機能付加装置２００（機能付加部２５０）側で行われてもよい。また、ＬＥＤユニット１００又は機能付加装置２００に非常用スイッチを設け、ユーザが手動でＬＥＤユニット１００を蓄電部２４０に蓄電された電力によって動作させてもよい。
【０１５３】
（その他）
以上、本実施の形態に係るＬＥＤユニット、及び機能付加装置について、実施の形態に基づいて説明したが、本発明は、これらの実施の形態に限定されるものではない。
【０１５４】
例えば、上記の実施の形態において、発光素子としてＬＥＤを例示したが、半導体レーザ等の半導体発光素子、又は、有機ＥＬ（Ｅｌｅｃｔｒｏ  Ｌｕｍｉｎｅｓｃｅｎｃｅ）や無機ＥＬ等のＥＬ素子等その他の固体発光素子を用いてもよい。
【０１５５】
例えば、発光部として、凹部（キャビティ）を有する樹脂製の容器と、凹部の中に実装されたＬＥＤチップと、凹部内に封入された封止部材（蛍光体含有樹脂）とからなるパッケージ型のＬＥＤ素子（ＳＭＤ型ＬＥＤ素子）を用いてもよい。すなわち、ＬＥＤモジュールは、このようなＬＥＤ素子が、金属配線が形成された基板上に複数個実装されることで構成されたＳＭＤ型のＬＥＤモジュールであってもよい。
【０１５６】
また、上記の実施の形態では、本発明をＬＥＤユニット及びこれを備える照明装置として実現したが、本発明は、他の照明用光源や、照明装置としても実現可能である。例えば、上記の実施の形態では、本発明をフラット薄形構造のＬＥＤユニットに適用する例について説明したが、本発明は、照明用光源である、電球形のＬＥＤランプ、直管形のＬＥＤランプ又は環状のＬＥＤランプとしても実現可能である。
【０１５７】
また、上記各実施の形態において、各構成要素は専用のハードウェアにより構成されてもよく、あるいは、ソフトウェアにより実現可能な構成要素については、プログラムを実行することによって実現されてもよい。例えば、ハードディスクや半導体メモリ等の記録媒体に記録されたソフトウェア・プログラムをＣＰＵ等のプログラム実行部が読み出して実行することによって、各構成要素が実現され得る。
【０１５８】
以上、一つ又は複数の態様に係るＬＥＤユニットについて、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、一つ又は複数の態様の範囲内に含まれてもよい。
【符号の説明】
【０１５９】
１００、１００ａ、１００ｂ、１００ｃ、１００ｄ  ＬＥＤユニット（照明用光源）
１１０、１１０ａ、１１０ｂ  透光性カバー（カバー）
１１５  開口
１２０、２２０  筐体
１２０ａ  第１開口部
１２０ｂ  第２開口部
１３０  支持台
１４０、１４０ａ  ＬＥＤモジュール
１４１、１４１ａ  基板
１４２、１４２ａ  発光部（発光素子）
１５０、３１０  反射板
１５５、２５５  ケーブル
１６０、１６０ａ  回路基板
１６５ａ  第一領域
１６５ｂ  第二領域
１７０  熱伝導シート
１８０  接続ピン（第三接続部）
１８５  面
１９０  第一接続部
１９１  電源変換部
１９２  制御部
１９３  電源部
１９４  電力供給部
１９５  切り欠き部
２００、２００ａ、２００ｂ  機能付加装置
２１０  第二接続部
２３０  リール
２４０  蓄電部
２５０  センサ部（機能付加部）
２６０  伸縮部材
３００  照明器具
３２０  ソケット
３２１  接続孔（第四接続部）
４００  照明装置
【図１Ａ】
2014220162.tif 000003
【図１Ｂ】
2014220162.tif 000004
【図２】
2014220162.tif 000005
【図３】
2014220162.tif 000006
【図４】
2014220162.tif 000007
【図５】
2014220162.tif 000008
【図６】
2014220162.tif 000009
【図７】
2014220162.tif 000010
【図８】
2014220162.tif 000011
【図９】
2014220162.tif 000012
【図１０】
2014220162.tif 000013
【図１１】
2014220162.tif 000014
【図１２】
2014220162.tif 000015